(57)【要約】【課題】他の照明装置の明るさに合わせるための制御を効率よく実行することができる照明装置を提供すること。【解決手段】制御部１１５および制御部１１５による制御に従って点灯する発光部１２０を備える照明装置１１０であって、発光部１２０の累積点灯時間の長さを計測する計測部１４０と、計測部１４０に計測された累積点灯時間の長さを示す第一情報１３１、および、累積点灯時間の長さと発光部１２０の明るさとの関係を示す時間対応情報１３５を記憶する記憶部１３０と、他の照明装置における累積点灯時間の長さを示す第二情報２３１を取得する取得部１１４とを備え、制御部１１５は、記憶部１３０に記憶された第一情報１３１および時間対応情報１３５、並びに、取得部１１４により取得された第二情報２３１を用いて、発光部１２０の明るさを第二情報２３１に対応する明るさに近づけるように発光部１２０の制御を行う。【選択図】図２
2015225804.tif 000002
【特許請求の範囲】
【請求項１】
制御部および前記制御部による制御に従って点灯する発光部を備える照明装置であって、
前記発光部の累積点灯時間の長さを計測する計測部と、
前記計測部に計測された累積点灯時間の長さを示す第一情報、および、前記累積点灯時間の長さと前記発光部の明るさとの関係を示す時間対応情報を記憶する記憶部と、
他の照明装置における累積点灯時間の長さを示す第二情報を取得する取得部とを備え、
前記制御部は、前記記憶部に記憶された前記第一情報および前記時間対応情報、並びに、前記取得部により取得された前記第二情報を用いて、前記発光部の明るさを前記第二情報に対応する明るさに近づけるように前記発光部の制御を行う
照明装置。
【請求項２】
前記制御部は、前記発光部の制御において、
前記時間対応情報を用いて、前記第一情報に対応する明るさを示す値である第一値を特定し、
前記時間対応情報を用いて、前記第二情報に対応する明るさを示す値である第二値を特定し、
特定した前記第一値および前記第二値を用いて算出された変数値を用いて前記発光部を点灯させることで、前記発光部の明るさを前記第二情報に対応する明るさに近づける
請求項１記載の照明装置。
【請求項３】
前記時間対応情報には、前記他の照明装置における前記累積点灯時間と前記他の照明装置の明るさとの関係を示す種別対応情報が含まれており、
前記取得部はさらに、前記他の照明装置の種別を示す種別情報を取得し、
前記制御部は、前記種別情報に示される種別を用いて、前記時間対応情報に含まれる前記種別対応情報を選択し、選択した前記種別対応情報と前記第二情報とを用いて前記第二値を特定する
請求項２記載の照明装置。
【請求項４】
さらに、前記記憶部に記憶された前記第一情報を当該照明装置の外部に出力する出力部を備える
請求項１〜３のいずれか１項に記載の照明装置。
【請求項５】
前記記憶部は、当該照明装置が備えるＩＣ（Ｉｎｔｅｇｒａｔｅｄ  Ｃｉｒｃｕｉｔ）チップが有するメモリであり、
前記出力部は、前記ＩＣチップに接続されたアンテナであり、前記アンテナは、前記メモリに記憶された前記第一情報を無線で送信することで、前記第一情報を当該照明装置の外部に出力する
請求項４記載の照明装置。
【請求項６】
発光部を備える照明装置の制御方法であって、
前記発光部の累積点灯時間の長さを計測する計測ステップと、
前記計測ステップにおいて計測された累積点灯時間の長さを示す第一情報を当該照明装置が備える記憶部に記憶させる記憶ステップと、
他の照明装置における累積点灯時間の長さを示す第二情報を取得する取得ステップと、
前記記憶部に記憶された前記第一情報、および、前記発光部の累積点灯時間の長さと前記発光部の明るさとの関係を示す時間対応情報、並びに、前記取得部により取得された前記第二情報を用いて、前記発光部の明るさを前記第二情報に対応する明るさに近づけるように前記発光部の制御を行う制御ステップと
を含む照明装置の制御方法。
【請求項７】
複数の照明装置を備える照明システムであって、
前記複数の照明装置のうちの１つである第一照明装置は、
第一発光部と、
前記第一発光部の累積点灯時間の長さを示す情報を出力する出力部とを有し、
前記複数の照明装置のうちの１つである第二照明装置は、
第二発光部と、
前記第二発光部の累積点灯時間の長さを計測する計測部と、
前記計測部に計測された累積点灯時間の長さを示す第一情報、および、前記累積点灯時間の長さと前記発光部の明るさとの関係を示す時間対応情報を記憶する記憶部と、
前記第一照明装置が有する前記出力部から出力された情報である第二情報を取得する取得部と、
前記記憶部に記憶された前記第一情報および前記時間対応情報、並びに、前記取得部により取得された前記第二情報を用いて、前記発光部の明るさを前記第二情報に対応する明るさに近づけるように前記発光部の制御を行う制御部と有する
照明システム。
【発明の詳細な説明】
【技術分野】
【０００１】
本発明は、制御部による制御に従って点灯する発光部を備える照明装置、および照明装置を複数備える照明システムに関する。
【背景技術】
【０００２】
従来、天井等に配設される照明器具であって、例えば光源の初期照度値を所定の値に設定し、その後の光源の光束の低下を補正するように、供給電力を調整することができる照明器具が存在する。
【０００３】
また、この初期照度値を任意所望時に変更可能な初期照度制御機能を備えた蛍光ランプ点灯装置についての技術も開示されている（例えば特許文献１参照）。
【先行技術文献】
【特許文献】
【０００４】
【特許文献１】特開２００６−１７２９９８号公報
【発明の概要】
【発明が解決しようとする課題】
【０００５】
上記従来の技術では、例えば、蛍光ランプ点灯装置の内部の配線基板に装着したＤＩＰスイッチ等の操作により、初期照度値が蛍光ランプ点灯装置（照明装置）に設定される。
【０００６】
例えば、ある照明装置に、初期照度値として“７０％”が設定された場合、当該照明装置の明るさは、その時点での出力可能な明るさの最大値の７０％となるように制御される。
【０００７】
従って、例えば使用期間が互いに異なる２つの照明装置は、光源等の劣化の度合いが互いに異なるため、出力可能な明るさの最大値は互いに異なり、その結果、それぞれに同一の初期照度値を設定した場合、設定後の明るさは互いに異なることになる。
【０００８】
そのため、例えばこれら２つの照明装置を一つの室内に設置する場合において、設置時における明るさを揃える必要がある場合、これら２つの照明装置の明るさを例えば照度センサ等を用いて確認しながら、各照明装置の初期照度値を調整する必要がある。
【０００９】
本発明は、上記従来の課題を考慮し、他の照明装置と明るさを合わせるための制御を効率よく実行することができる照明装置およびその制御方法を提供することを目的とする。
【課題を解決するための手段】
【００１０】
本発明の一態様に係る照明装置は、制御部および前記制御部による制御に従って点灯する発光部を備える照明装置であって、前記発光部の累積点灯時間の長さを計測する計測部と、前記計測部に計測された累積点灯時間の長さを示す第一情報、および、前記累積点灯時間の長さと前記発光部の明るさとの関係を示す時間対応情報を記憶する記憶部と、他の照明装置における累積点灯時間の長さを示す第二情報を取得する取得部を備え、前記制御部は、前記記憶部に記憶された前記第一情報および前記時間対応情報、並びに、前記取得部により取得された前記第二情報を用いて、前記発光部の明るさを前記第二情報に対応する明るさに近づけるように前記発光部の制御を行う。
【００１１】
本発明の一態様に係る照明装置の制御方法は、発光部を備える照明装置の制御方法であって、前記発光部の累積点灯時間の長さを計測する計測ステップと、前記計測ステップにおいて計測された累積点灯時間の長さを示す第一情報を当該照明装置が備える記憶部に記憶させる記憶ステップと、他の照明装置における累積点灯時間の長さを示す第二情報を取得する取得ステップと、前記記憶部に記憶された前記第一情報、および、前記発光部の累積点灯時間の長さと前記発光部の明るさとの関係を示す時間対応情報、並びに、前記取得部により取得された前記第二情報を用いて、前記発光部の明るさを前記第二情報に対応する明るさに近づけるように前記発光部の制御を行う制御ステップとを含む。
【００１２】
本発明の一態様に係る照明システムは、複数の照明装置を備える照明システムであって、前記複数の照明装置のうちの１つである第一照明装置は、第一発光部と、前記第一発光部の累積点灯時間の長さを示す情報を出力する出力部とを有し、前記複数の照明装置のうちの１つである第二照明装置は、第二発光部と、前記第二発光部の累積点灯時間の長さを計測する計測部と、前記計測部に計測された累積点灯時間の長さを示す第一情報、および、前記累積点灯時間の長さと前記発光部の明るさとの関係を示す時間対応情報を記憶する記憶部と、前記第一照明装置が有する前記出力部から出力された情報である第二情報を取得する取得部と、前記記憶部に記憶された前記第一情報および前記時間対応情報、並びに、前記取得部により取得された前記第二情報を用いて、前記発光部の明るさを前記第二情報に対応する明るさに近づけるように前記発光部の制御を行う制御部と有する。
【発明の効果】
【００１３】
本発明の一態様に係る照明装置、照明装置の制御方法、および照明システムのそれぞれによれば、当該照明装置において、他の照明装置の明るさに合わせるための制御を効率よく実行することができる。
【図面の簡単な説明】
【００１４】
【図１Ａ】図１Ａは、実施の形態に係る照明器具の外観を示す斜視図である。
【図１Ｂ】図１Ｂは、実施の形態に係る照明器具の分解斜視図である。
【図２】図２は、実施の形態に係る照明装置の構成の概要を示すブロック図である。
【図３】図３は、実施の形態１に係る時間対応情報のデータ構成例を示す図である。
【図４】図４は、実施の形態１に係る照明装置の基本的な動作の流れを示すフロー図である。
【図５】図５は、実施の形態１に係る制御部による発光部の制御の具体例を示すフロー図である。
【図６】図６は、実施の形態１の変形例１に係る時間対応情報のデータ構成例を示す図である。
【図７】図７は実施の形態１の変形例２に係る照明装置の構成の概要を示すブロック図である。
【図８】図８は、実施の形態１の変形例２に係る照明装置と携帯端末とが無線通信する様子を示す図である。
【図９】図９は、実施の形態２に係る照明システムの構成の概要を示す図である。
【発明を実施するための形態】
【００１５】
以下、実施の形態に係る照明装置について、図面を参照しながら説明する。なお、以下に説明する実施の形態は、本発明の一具体例を示すものである。したがって、以下の実施の形態で示される、数値、形状、材料、構成要素、構成要素の配置位置および接続形態などは、一例であって本発明を限定する主旨ではない。よって、以下の実施の形態における構成要素のうち、本発明の最上位概念を示す独立請求項に記載されていない構成要素については、任意の構成要素として説明される。
【００１６】
なお、各図は模式図であり、必ずしも厳密に図示されたものではない。また、各図において、実質的に同一の構成に対しては同一の符号を付し、重複する説明は省略または簡略化される場合がある。
【００１７】
以下、実施の形態１に係る照明装置を備える照明器具について図１Ａ〜図５を用いて説明する。
【００１８】
［照明器具の全体構成］
まず、図１Ａおよび図１Ｂを用いて、実施の形態１に係る照明器具の構成について説明する。
【００１９】
図１Ａは、実施の形態１に係る照明器具１００の外観を示す斜視図である。
【００２０】
図１Ｂは、実施の形態１に係る照明器具１００の分解斜視図である。
【００２１】
図１Ａおよび図１Ｂに示すように、実施の形態１に係る照明器具１００は、照明装置１１０と、器具本体２００とを備える。
【００２２】
器具本体２００は、照明器具１００のベースとなる部材であり、例えばボルトおよびナット等により天井に固定される。器具本体２００は、照明装置１１０が埋設される凹部２１０を有し、例えば照明装置１１０が有する金具（図示せず）が、凹部２１０の内面に形成された孔と係合することで、照明装置１１０が器具本体２００に着脱可能に取り付けられる。
【００２３】
なお、照明装置１１０を器具本体２００に着脱可能に取り付けられるのであれば、当該取り付けの手法として各種の手法を採用し得る。例えば、ネジ等の締結部材によって照明装置１１０が器具本体２００に取り付けられてもよい。
【００２４】
また、器具本体２００から延設された電線の端部にコネクタ２７０が設けられており、照明装置１１０から延設された電線の端部にコネクタ１７０が設けられている。これらコネクタ２７０とコネクタ１７０とが連結されることで、器具本体２００から照明装置１１０に、照明装置１１０の発光に必要な電力が供給される。
【００２５】
なお、図１Ａおよび図１Ｂに図示していないが、例えば、照明装置１１０の点灯、消灯および調光等の操作を壁に設置された操作パネルから行う場合、操作パネルと照明装置１１０との間の信号のやり取りのための制御線が照明装置１１０に接続される。
【００２６】
照明装置１１０は、照明光を放出する発光部１２０と、発光部１２０を覆うカバー部材１８０とを有する。
【００２７】
発光部１２０は、複数の発光素子を有し、調光制御（明るさの制御）等の制御が可能な発光モジュールである。本実施の形態では、発光部１２０が有する発光素子としてＬＥＤ素子が採用されている。発光部１２０の制御の例などの照明装置１１０の詳細については、図２〜図５を用いて後述する。
【００２８】
カバー部材１８０は、発光部１２０から発せられた光を透過させる部材である。また、本実施の形態では、カバー部材１８０は、発光部１２０から発せられた光を拡散する機能を有している。例えば、シリカもしくは炭酸カルシウムなどの光拡散材（微粒子）を含有する樹脂、または、白色顔料を、透明なガラスまたは樹脂で形成されたカバー部材１８０の内面又は外面に付着させることで、乳白色の光拡散膜がカバー部材１８０に形成される。
【００２９】
なお、カバー部材１８０が光を拡散する機能を有することは必須ではなく、カバー部材１８０は、カバー部材１８０の外部から内部を視認可能な程度に透明であってもよい。
【００３０】
また、照明装置１１０の形状および構成は、図１Ａおよび図１Ｂに示す形状および構成に限定されず、例えば、照明装置１１０の平面視における外観が円形または正方形等であってもよい。また、例えば発光部１２０の全体が透光性を有する樹脂で封止されている場合などにおいて、発光部１２０を覆うカバー部材１８０がなくてもよい。
【００３１】
次に、本実施の形態に係る照明装置１１０の基本的な構成および動作について、図２〜図４を用いて説明する。
【００３２】
［照明装置の基本的な構成および動作］
図２は、実施の形態１に係る照明装置１１０の構成の概要を示すブロック図である。
【００３３】
図３は、実施の形態１に係る時間対応情報１３５のデータ構成例を示す図である。
【００３４】
図２に示すように、照明装置１１０は、制御部１１５および制御部１１５による制御に従って点灯する発光部１２０を備える。照明装置１１０はさらに、発光部１２０の累積点灯時間の長さを計測する計測部１４０と、第一情報１３１および時間対応情報１３５を記憶する記憶部１３０と、第二情報２３１を取得する取得部１１４とを備える。第一情報１３１は、発光部１２０の累積点灯時間の長さを示す情報であり、第二情報２３１は、他の照明装置における累積点灯時間の長さを示す情報である。
【００３５】
制御部１１５は、発光部１２０の点灯、消灯、調光（明るさの調整）、および調色（発光色（色温度）の調整）等の動作を制御する。制御部１１５は、例えば、入力された信号に応じて発光部１２０に供給する電流値等を制御するマイコン（Ｍｉｃｒｏ  Ｃｏｎｔｒｏｌｌｅｒ）または専用回路によって実現される。
【００３６】
本実施の形態に係る制御部１１５は、初期状態における発光部１２０の明るさ（明るさの初期値）を、他の照明装置の明るさに合わせるための制御を行う点に特徴を有する。
【００３７】
具体的には、制御部１１５は、記憶部１３０に記憶された第一情報１３１および時間対応情報１３５、並びに、取得部１１４により取得された第二情報２３１を用いて、発光部１２０の明るさを第二情報２３１に対応する明るさに近づけるように発光部１２０の制御を行う。
【００３８】
第一情報１３１に示される発光部１２０の累積点灯時間の長さは、計測部１４０によって計測される。計測部１４０は、例えば照明装置１１０が備える電源部（図示せず）に組み込まれたマイコンによって実現される。
【００３９】
計測部１４０は、例えば発光部１２０が最初に点灯した時点からの点灯時間を第一情報１３１に蓄積する。つまり、記憶部１３０に記憶された第一情報１３１は、累積点灯時間の増加に伴って随時更新される。
【００４０】
具体的には、記憶部１３０に記憶された第一情報１３１は、例えば、点灯している発光部１２０が制御部１１５の制御に従って消灯した後に、当該消灯までの累積点灯時間の長さを示す値に書き換えられる。
【００４１】
なお、第一情報１３１の書き換え（更新）のタイミングは、発光部１２０の消灯後には限定されず、例えば発光部１２０の点灯期間中に定期的に更新されてもよい。また、当該更新は、計測部１４０が行ってもよく、制御部１１５が行ってもよい。
【００４２】
また、第一情報１３１に示される累積点灯時間の長さは、例えば、時、分、または、秒を単位とする値であってもよく、計測部１４０が所定の間隔ごとに所定の値だけ増加させる無次元数（カウント値）であってもよい。
【００４３】
第二情報２３１は、上述のように、他の照明装置における累積点灯時間の長さを示す情報であり、取得部１１４が、例えば照明装置１１０の外部から送信される信号を受信することで、第二情報２３１が取得部１１４によって取得される。
【００４４】
具体的には、第二情報２３１を含む信号が外部の装置から有線または無線で送信され、取得部１１４によって受信される。取得部１１４は、例えば、少なくとも信号の受信が可能な受信機である。
【００４５】
取得部１１４に各種の信号を送信する装置としては、照明装置１１０の電源のオンおよびオフ（点灯および消灯）を行うための電源スイッチ、赤外線によって信号を送信するリモコン（Ｒｅｍｏｔｅ  Ｃｏｎｔｒｏｌ）、および、携帯電話またはタブレット端末等の携帯端末が例示される。また、例えば、取得部１１４は、他の照明装置が送信する第二情報２３１を受信してもよい。つまり、取得部１１４は、第二情報２３１を、他の照明装置から直接的に受けとることも可能である。
【００４６】
また、電源スイッチ、調光または調色のためのスイッチ等を備える操作パネルであって、照明器具１００が設置された部屋の壁に取り付けられる操作パネルも、取得部１１４に第二情報２３１を送信する装置として例示される。
【００４７】
なお、以下で、「リモコン等」という場合、上記のリモコン、電源スイッチ、操作パネル、および携帯端末等の、ユーザに操作される装置のいずれかを意味する。
【００４８】
記憶部１３０は、第一情報１３１を記憶する不揮発性の記憶装置である。記憶部１３０としては、例えばフラッシュメモリまたはＥＥＰＲＯＭ（Ｅｌｅｃｔｒｉｃａｌｌｙ  Ｅｒａｓａｂｌｅ  Ｐｒｏｇｒａｍｍａｂｌｅ  Ｒｅａｄ−Ｏｎｌｙ  Ｍｅｍｏｒｙ）などの半導体メモリが採用される。
【００４９】
記憶部１３０には、上述の第一情報１３１に加え、時間対応情報１３５が記憶されている。時間対応情報１３５は、発光部１２０の累積点灯時間の長さと発光部１２０の明るさとの関係を示す情報である。
【００５０】
例えば、図３に示すように、発光部１２０の累積点灯時間の値から、明るさレベル（光束）を特定可能なグラフを構成するデータが、時間対応情報１３５として記憶部１３０に記憶されている。
【００５１】
なお、時間対応情報１３５を用いて特定される明るさは、現実の明るさではなく、累積点灯時間の長さから推定される明るさ（明るさの推定値）である。このことは、後述する各変形例および実施の形態２でも同じである。
【００５２】
図３に示すグラフでは、累積点灯時間が“Ｔ１”（単位：時間（ｈ））である場合に、明るさレベルは“Ｌ１”（単位：ルーメン（ｌｍ））であり、累積点灯時間が“Ｔ２”である場合に、明るさレベルは“Ｌ２”であることが示されている。
【００５３】
つまり、第一情報１３１に示される累積点灯時間と、時間対応情報１３５とから、第一情報１３１に対応する明るさ（発光部１２０の明るさ）を示す値が特定される。
【００５４】
なお、図３における明るさレベルは、各々の累積点灯時間において、調光率を所定の値（例えば１００％）とした場合の光束を表している。また、調光率とは、制御部１１５が発光部１２０の明るさを調整するための変数（制御パラメータ）の一種であり、数値が大きいほど（最大値は１００％）、照明の明るさを増加させることのできる変数である。
【００５５】
また、調光率は、例えば“調光レベル”または“調光比”等と表現することもできる。さらに、このような変数の値としては、電流値等の他の種類の値も例示される。例えば、制御部１１５は、発光部１２０に供給する電流値を約半分にすることで、発光部１２０の明るさを約半分にすることができる。
【００５６】
また、制御部１１５が、例えばＰＷＭ（Ｐｕｌｓｅ  Ｗｉｄｔｈ  Ｍｏｄｕｌａｔｉｏｎ）信号によって発光部１２０の光出力を制御する場合、ＰＷＭ信号のデューティ比（オン時間とオフ時間とで構成される１周期に占めるオン時間の割合）も、発光部１２０の明るさを調整するための変数値として例示される。
【００５７】
なお、累積点灯時間および明るさレベルの単位に特に限定はなく、例えば、累積点灯時間が、計測部１４０が所定の期間ごとに増加させるカウント値で表され、明るさレベルが光度（単位：カンデラ（ｃｄ））、または照度（単位：ルクス（ｌｘ））で表されてもよい。
【００５８】
また、図３では、累積点灯時間と明るさレベルとの関係が直線（一次関数）で表されているが、これは、累積点灯時間の増加に伴い明るさが低下することを模式的に示すものであり、累積点灯時間と明るさレベルとの関係は一次関数で表されなくてもよい。
【００５９】
また、時間対応情報１３５のデータ形式に特に限定はなく、発光部１２０の累積点灯時間の長さと明るさとの関係を示す関数またはテーブルなど各種のデータ形式を採用し得る。
【００６０】
また、第一情報１３１と時間対応情報１３５とは、２つの記憶装置に別々に記憶されてもよい。つまり、記憶部１３０は、１つの記憶装置によって実現されてもよく、物理的に別体である複数の記憶装置によって実現されてもよい。
【００６１】
また、時間対応情報１３５は、例えば照明装置１１０の製造工程において記憶部１３０に書き込まれ、原則として書き換えが不要な情報である。そのため、例えば、時間対応情報１３５を、記憶部１３０が有する記憶領域に含まれる書き換え不可領域に記憶させ、第一情報１３１を、当該記憶領域に含まれる書き換え可能領域に記憶させてもよい。
【００６２】
ここで、本実施の形態では、第二情報２３１に対応する他の照明装置は、図２に示す照明装置１１０と同じ種別の照明装置である。
【００６３】
照明装置の種別は、例えば、照明装置に関する工業規格によって、または製造メーカが規定する型番等によって識別される属性である。例えば、同一種別の２つの照明装置それぞれの構成および性能等は同一であり、発光部の累積点灯時間の増加に伴う明るさ低下の度合いも同一と見なすことができる。
【００６４】
つまり、本実施の形態では、時間対応情報１３５を用いることで、第二情報２３１に示される、他の照明装置（以下、「対象装置」ともいう。）における累積点灯時間の長さから、第二情報２３１に対応する明るさ（対象装置の明るさ）を示す値が特定される。
【００６５】
なお、第一情報１３１および第二情報２３１のそれぞれに対応する明るさを示す値の特定は、制御部１１５によって行われ、制御部１１５はこれらの値を用いて、発光部１２０の制御を行う。
【００６６】
このような構成を有する照明装置１１０において、例えば図４に示す基本的な処理（動作）が実行される。
【００６７】
図４は、実施の形態１に係る照明装置１１０の基本的な動作の流れを示すフロー図である。
【００６８】
図４に示すように、照明装置１１０では、計測部１４０によって発光部１２０の累積点灯時間が計測される（Ｓ１０）。計測された累積点灯時間の長さを示す第一情報１３１は、記憶部１３０に記憶される（Ｓ２０）。
【００６９】
取得部１１４は、他の照明装置（対象装置）における累積点灯時間の長さを示す第二情報２３１を取得する（Ｓ３０）。
【００７０】
制御部１１５は、記憶部１３０に記憶された第一情報１３１および時間対応情報１３５、並びに、取得部１１４により取得された第二情報２３１を用いて、発光部１２０の明るさを第二情報２３１に対応する明るさに近づけるように発光部１２０の制御を行う（Ｓ４０）。
【００７１】
つまり、本実施の形態では、第一情報１３１と時間対応情報１３５（図３参照）とにより、発光部１２０の明るさ（自装置の明るさ）が特定される。また、第二情報２３１と時間対応情報１３５とにより、第二情報２３１に対応する明るさ（対象装置の明るさ）が特定される。制御部１１５は、これらの２つの明るさの関係（例えば２つの明るさの比）を用いることで、発光部１２０の明るさを第二情報２３１に対応する明るさに近づけるように、発光部１２０を制御することができる。
【００７２】
つまり、照明装置１１０の初期状態の明るさ（明るさの初期値）が、対象装置の初期状態の明るさに一致するように、発光部１２０が制御される。なお、照明装置の初期状態とは、例えば、当該照明装置を電源オンにした直後の状態である。
【００７３】
例えば、第二情報２３１を照明装置１１０が受信した後に、はじめて照明装置１１０を点灯するときの明るさが、対象装置の明るさに一致するように、発光部１２０が制御される。
【００７４】
また、例えば操作パネルに備えられた回転式またはスライド式のつまみによって、照明装置の調光（明るさの変更）が指示される場合、当該つまみが最大値にされた状態も、当該照明装置の初期状態として例示される。
【００７５】
制御部１１５による、発光部１２０の制御（Ｓ４０）のより詳細な内容については、図５を用いて後述する。
【００７６】
ここで、発光部１２０の累積点灯時間の増加に伴う第一情報１３１の更新（Ｓ１０およびＳ２０）は、上述のように発光部１２０の消灯後等のタイミングで実行される。また、取得部１１４による第二情報２３１の取得（Ｓ３０）は、例えばユーザによるリモコン等の操作によって第二情報２３１が送信された場合に実行される。
【００７７】
つまり、図４に示されるＳ１０、Ｓ２０、およびＳ３０の動作の順序は一例であり、例えば、取得部１１４による第二情報２３１の取得の後に、第一情報１３１の記憶部１３０への書き込み、または、既存の第一情報１３１の更新が実行されてもよい。
【００７８】
つまり、制御部１１５が、発光部１２０の制御（Ｓ４０）を完了するまでに、Ｓ１０、Ｓ２０、およびＳ３０の各動作が実行されればよい。
【００７９】
［発光部の制御の具体例］
次に、制御部１１５による発光部１２０の制御の具体例について図５を用いて説明する。
【００８０】
図５は、実施の形態１に係る制御部１１５による発光部１２０の制御の具体例を示すフロー図である。
【００８１】
図５に示すように、制御部１１５は、時間対応情報１３５を用いて、第一情報１３１に対応する明るさを示す値である第一値を特定する（Ｓ４１）。
【００８２】
例えば、第一情報１３１に示される累積点灯時間が“Ｔ１”である場合、時間対応情報１３５（図３参照、以下同じ）から、第一値として“Ｌ１”が特定される。
【００８３】
また、制御部１１５は、時間対応情報１３５を用いて、第二情報２３１に対応する明るさを示す値である第二値を特定する（Ｓ４２）。
【００８４】
例えば、第二情報２３１に示される累積点灯時間が“Ｔ２”である場合、時間対応情報１３５から、第二値として“Ｌ２”が特定される。
【００８５】
制御部１１５は、特定した第一値“Ｌ１”および第二値“Ｌ２”を用いて、発光部１２０の初期状態の明るさ制御のための変数値を算出する（Ｓ４３）。これにより、照明装置１１０の新たな初期状態の明るさに対応する変数値（新初期変数値）が算出される。
【００８６】
例えば、第一値に対する第二値の比“Ｌ２／Ｌ１”に、当該算出の時点における初期状態の供給電流の値（旧初期変数値）を乗算することで、新初期変数値としての供給電流の値が算出される。
【００８７】
制御部１１５は、算出した新初期変数値（供給電流値）を用いて発光部１２０を点灯させる（Ｓ４４）。
【００８８】
例えば、“Ｌ２／Ｌ１”が“０．８”である場合、旧初期変数値の０．８倍の値が新初期変数値として求められる。その結果、照明装置１１０の初期状態の明るさは、それ以前の初期状態の明るさよりも低くなる。
【００８９】
これにより、照明装置１１０の初期状態の明るさが、照明装置１１０よりも累積点灯時間が長い（初期状態において照明装置１１０よりも暗い）対象装置の初期状態の明るさに近づけられる。
【００９０】
なお、上記の処理において算出された初期変数値は、例えば記憶部１３０等の不揮発性メモリに記憶され、その後に初期変数値が変更されるまで、明るさの初期値に対応する変数値として制御部１１５に用いられる。
【００９１】
つまり、上述のように回転式またはスライド式のつまみによって照明装置１１０の調光が指示される場合、制御部１１５は、当該つまみが最大値にされた状態において、上記Ｓ４３において算出された初期変数値を用いて発光部１２０を点灯させる。
【００９２】
このように、本実施の形態に係る照明装置１１０では、初期状態の明るさ（明るさの初期値）を、対象装置の明るさと合わせるように制御することができ、この制御には、照明装置１１０および対象装置それぞれの累積点灯時間が用いられる。
【００９３】
つまり、累積点灯時間の増加に伴い明るさが低下するという光源（本実施の形態では発光部１２０）の特性を利用し、明るさそのものではなく、光源の累積点灯時間という比較的に計測し易い指標を用いて、２つの照明装置の明るさの統一が図られる。
【００９４】
具体的には、制御部１１５は、記憶部１３０に記憶された第一情報１３１および時間対応情報１３５、並びに、取得部１１４により取得された第二情報２３１を用いて、発光部１２０の明るさを第二情報２３１に対応する明るさに近づけるように発光部１２０の制御を行う。
【００９５】
つまり、第一情報１３１と時間対応情報１３５とから発光部１２０の明るさが特定される。また、例えば本実施の形態のように、第二情報２３１に対応する対象装置が、照明装置１１０と同じ種別である場合、時間対応情報１３５を用いて、第二情報２３１に対応する明るさ（対象装置の明るさ）を適切に特定することができる。
【００９６】
なお、対象装置が照明装置１１０と同じ種別ではない場合であっても、対象装置の発光部が照明装置１１０の発光部と同一の種類である場合などでも、時間対応情報１３５を用いて対象装置の明るさを特定することは可能である。
【００９７】
このように、照明装置１１０および対象装置それぞれの明るさが特定されることで、照明装置１１０の明るさをどの程度低下または増加させれば、目標となる明るさ（対象装置の明るさ）と同一（略同一を含む）になるかが制御部１１５で判断可能となる。具体的には、制御部１１５は、照明装置１１０の明るさを目標となる明るさに近づけるための変数値（たとえば発光部１２０への供給電流値）を算出することができる。
【００９８】
このように、本実施の形態に係る照明装置１１０は、照明装置１１０および対象装置それぞれの累積点灯時間を用いて、照明装置１１０の初期状態の明るさを、対象装置の初期状態の明るさに合わせるように制御することができる。つまり、この制御において、照明装置１１０および対象装置の明るさを、例えば照度センサを用いて計測するような手間は不要である。
【００９９】
すなわち、本実施の形態に係る照明装置１１０によれば、他の照明装置（対象装置）と明るさを合わせるための制御を効率よく実行することができる。
【０１００】
また、本実施の形態では、より詳細には、制御部１１５は、第一情報１３１と時間対応情報１３５とから発光部１２０の明るさを示す第一値を特定し、第二情報２３１と時間対応情報１３５とから他の照明装置（対象装置）の明るさを示す第二値を特定する。さらに、制御部１１５は、第一値および第二値を用いて算出された変数値を用いて発光部１２０を発光させる。
【０１０１】
このように、制御部１１５では、時間対応情報１３５の読み出し等を含む、所定の手順に沿った処理および演算を行うことで、照明装置１１０の新たな初期状態の明るさに対応する変数の値（例えば供給電流値）を効率よくかつ的確に算出することができる。
【０１０２】
なお、本実施の形態では、照明装置１１０の明るさを示す第一値が、対象装置の明るさを示す第二値よりも大きい場合について説明した。しかし、第一値が第二値よりも小さい場合であっても、例えば図４および図５に示される、明るさの初期値の変更に係る処理を実行することは可能である。
【０１０３】
つまり、初期状態において比較的に明るい対象装置に合わせて、初期状態における照明装置１１０を明るくするように発光部１２０が制御されてもよい。
【０１０４】
例えば、対象装置Ａの明るさに合わせるために、照明装置１１０において図４および図５に示される処理が行われ、その結果、照明装置１１０の初期状態の明るさが比較的に低くされた場合を想定する。その後、初期状態において対象装置Ａよりも明るい対象装置Ｂの明るさに合わせる場合において、照明装置１１０の明るさを示す第一値よりも、対象装置Ｂの明るさを示す第二値が大きい場合が想定される。
【０１０５】
この場合、照明装置１１０の初期状態の明るさを増加させる制御、例えば、新初期変数値としての供給電流の値を増加させる処理が行われてもよい。これにより、照明装置１１０の初期状態の明るさを対象装置Ｂの初期状態の明るさに揃えることができる。
【０１０６】
また、レンタルなどのように照明装置１１０の提供期間が定められている場合には、照明装置１１０が耐えられる範囲で供給電流を高めることで明るくするようにしても構わない。
【０１０７】
また、本実施の形態では、２つの照明装置の一方の初期状態の明るさを他方の初期状態の明るさに合わせる例について説明した。しかし、３以上の照明装置のうちの１つの照明装置の初期状態の明るさに合わせるように、他の２以上の照明装置において図４および図５に示される処理が実行されてもよい。
【０１０８】
ここで、照明装置１１０では、発光部１２０が備える複数の発光素子としてＬＥＤ素子が採用されており、ＬＥＤ素子の寿命は例えば４万時間程度である。そのため、複数の照明装置１１０のそれぞれが、例えば器具本体２００を含む照明器具１００として、個人または法人に貸し出されるレンタル品として扱われる場合も想定される。
【０１０９】
この場合、複数の照明装置１１０のそれぞれにおける累積点灯時間にはばらつきが生じ、その結果、複数の照明装置１１０それぞれの初期状態の明るさにもばらつきが生じる。
【０１１０】
この場合、例えば、貸し出す予定の複数の照明装置１１０の中から、累積点灯時間の長さが最も長い照明装置１１０を特定し、特定した照明装置１１０の累積点灯時間の長さを示す情報を、第二情報２３１として、他の１以上の照明装置１１０に入力する。
【０１１１】
これにより、他の１以上の照明装置１１０の初期状態の明るさが、上記特定された照明装置１１０の明るさに近づけられる。つまり、複数の照明装置１１０の初期状態の明るさを照度センサ等によって計測するような手間をかけることなく、複数の照明装置１１０の初期状態の明るさを揃えることができる。
【０１１２】
なお、累積点灯時間を示す情報を出力する出力部を有する照明装置１１０については、実施の形態１の変形例２として後述する。また、照明装置１１０等の照明装置を複数備える照明システムについては、実施の形態２として後述する。
【０１１３】
また、実施の形態１に係る照明装置１１０に実行される初期状態の明るさ制御に関する各種の処理は、図２〜図５を用いて説明された構成または処理内容以外の構成または処理内容で実行されてもよい。そこで、照明装置１１０の構成または処理内容についての各種の変形例を、上記実施の形態１との差分を中心に以下に説明する。なお、以下の複数の変形例の相互間においても、重複する説明は省略される場合がある。
【０１１４】
（実施の形態１の変形例１）
図６は、実施の形態１の変形例１に係る時間対応情報１３６のデータ構成例を示す図である。
【０１１５】
本変形例に係る時間対応情報１３６は、実施の形態１に係る照明装置１１０の記憶部１３０において、時間対応情報１３５に代えて記憶され得る情報の一例であり、第一情報１３１および第二情報２３１のそれぞれに対応する明るさの特定に用いられる情報である。
【０１１６】
時間対応情報１３６には、他の照明装置（対象装置）における累積点灯時間と、対象装置の明るさとの関係を示す種別対応情報が含まれている。
【０１１７】
具体的には、時間対応情報１３６は、図６に示すように、第一種別対応情報１３６ａと、第二種別対応情報１３６ｂとを含んでいる。第一種別対応情報１３６ａおよび第二種別対応情報１３６ｂは、互いに種別が異なる照明装置と紐付けられた、累積点灯時間と明るさとの対応関係を示す情報（種別対応情報）である。
【０１１８】
ここで、本変形例では、照明装置１１０の種別と、照明装置１１０の初期状態の明るさを合わせるべき対象となる他の照明装置（対象装置）の種別とが異なる場合を想定している。そのため、本変形例に係る時間対応情報１３６では、照明装置１１０用の種別対応情報と、対象装置用の種別対応情報とが識別可能な態様で含まれている。
【０１１９】
より詳細には、時間対応情報１３６には、照明装置１１０用の種別対応情報として、第一種別対応情報１３６ａが含まれている。第一種別対応情報１３６ａは、例えば、実施の形態１に係る時間対応情報１３５と同一の情報である。
【０１２０】
また、時間対応情報１３６には、対象装置用の種別対応情報として、第二種別対応情報１３６ｂが含まれている。第二種別対応情報１３６ｂは、対象装置における累積点灯時間と対象装置の明るさとの関係を示す情報である。
【０１２１】
このように、本変形例に係る時間対応情報１３６は、照明装置の種別ごとの、累積点灯時間の長さと明るさとの関係を示す情報（種別対応情報）を含んでいる。なお、図６では、２つの種別に紐付けられた種別対応情報（１３６ａおよび１３６ｂ）のみを図示しているが、時間対応情報１３６はさらに、他の種別に紐付けられた種別対応情報を含んでいてもよい。
【０１２２】
このような時間対応情報１３６を記憶部１３０に保持する照明装置１１０では、取得部１１４が、第二情報２３１に加えて種別情報を取得する。種別情報は、第二情報２３１に対応する他の照明装置（対象装置）の種別を示す情報である。具体的には、取得部１１４は、ユーザにより操作されるリモコン等から第二情報２３１とともに送信される種別情報を受信することで、種別情報を取得する。
【０１２３】
取得部１１４が取得した第二情報２３１および種別情報は、制御部１１５に渡される。制御部１１５は、取得部１１４から受け取った種別情報に示される種別を用いて、時間対応情報１３６に含まれる、対象装置における累積点灯時間と対象装置の明るさとの関係を示す種別対応情報（本変形例では第二種別対応情報１３６ｂ）を選択する。
【０１２４】
制御部１１５はさらに、選択した種別対応情報と、第二情報２３１とを用いて、第二値を特定する。
【０１２５】
また、制御部１１５は自装置（照明装置１１０）の種別に紐付けられた種別対応情報（本変形例では第一種別対応情報１３６ａ）を、時間対応情報１３６の中から選択し、選択した第一種別対応情報１３６ａと第一情報１３１とを用いて、第一値の特定を行う。
【０１２６】
例えば、第一情報１３１に示される累積点灯時間が“Ｔ１”である場合、制御部１１５は、第一種別対応情報１３６ａから、第一値として“Ｌ１”を特定する。
【０１２７】
また、第二情報２３１に示される累積点灯時間が“Ｔ２”である場合、制御部１１５は、種別情報を用いて選択した第二種別対応情報１３６ｂから、第二値として“Ｌ２”を特定する。
【０１２８】
このようにして特定された第一値“Ｌ１”および第二値“Ｌ２”は、実施の形態１と同じく、照明装置１１０の新たな初期状態の明るさに対応する変数の値（新初期変数値）の算出に用いられる。例えば、“Ｌ２／Ｌ１”に、旧初期変数値が乗算されることで、新初期変数値としての供給電流の値が算出される。
【０１２９】
以上のように、本変形例に係る照明装置１１０は、時間対応情報１３６を保持しており、時間対応情報１３６は、照明装置の種別ごとの累積点灯時間の長さと明るさとの関係を示す情報（種別対応情報）を含んでいる。
【０１３０】
また、本変形例に係る取得部１１４は、他の照明装置（対象装置）の明るさを示す第二情報２３１に加え、対象装置の種別を示す種別情報も取得する。取得された種別情報は、第二情報２３１に対応する明るさの特定に用いる種別対応情報の選択に用いられる。
【０１３１】
これにより、照明装置１１０の初期状態の明るさを合わせるべき他の照明装置（対象装置）の種別が、照明装置１１０とは異なる場合であっても、照明装置１１０の初期状態の明るさを、対象装置の初期状態の明るさに近づけることが可能となる。
【０１３２】
なお、第一情報１３１と比較される種別対応情報は、第一種別対応情報１３６ａに固定されるため、自装置（照明装置１１０）の種別を用いた種別対応情報の選択処理は省略されてもよい。
【０１３３】
また、第一種別対応情報１３６ａおよび第二種別対応情報１３６ｂそれぞれのデータ形式に特に限定はなく、累積点灯時間の長さと明るさとの関係を示す関数またはテーブルなど各種のデータ形式を採用し得る。
【０１３４】
（実施の形態１の変形例２）
図７は、実施の形態１の変形例２に係る照明装置１１０ａの構成の概要を示すブロック図である。
【０１３５】
図７に示すように、本変形例に係る照明装置１１０ａは、記憶部１３０に記憶された第一情報１３１を照明装置１１０の外部に出力する出力部１１６を有している。
【０１３６】
ここで、上記実施の形態１に係る照明装置１１０は、他の照明装置（対象装置）における累積点灯時間を示す情報（第二情報２３１）を利用して、自装置の初期状態の明るさを調整する機能を有している。これに対し、本変形例に係る照明装置１１０ａは、上記機能に加えて、自装置の初期状態の明るさを示す第一情報１３１を、他の照明装置１１０に利用させるための構成を有している。
【０１３７】
言い換えると、照明装置１１０ａの出力部１１６を介して出力される第一情報１３１は、実施の形態１に係る照明装置１１０に第二情報２３１として取得され、照明装置１１０の初期状態の明るさが、照明装置１１０ａの初期状態の明るさに近づけられる。
【０１３８】
なお、出力部１１６による、第一情報１３１の出力の態様に特に限定はない。例えば、照明装置１１０ａの電源オンおよびオフ等の操作が、操作パネルを介して行われる場合、操作パネルが有する液晶パネル等の表示装置に、第一情報１３１が表示されてもよい。つまり、出力部１１６は、第一情報１３１を示す信号を、制御線を介して操作パネルに送信してもよい。
【０１３９】
また、出力部１１６そのものが、第一情報１３１を表示してもよい。例えば、照明装置１１０に備えられた表示装置によって出力部１１６が実現されてもよい。また、出力部１１６は、音声によって第一情報１３１を出力するスピーカによって実現されてもよい。
【０１４０】
また、出力部１１６は、例えば、リモコンまたは携帯端末に無線通信によって第一情報１３１を出力してもよい。
【０１４１】
なお、出力部１１６からの第一情報１３１の出力は、例えば、取得部１１４が所定の指示を取得したことをトリガとして行われてもよい。
【０１４２】
ここで、例えば、照明装置１１０ａに備えられたＩＣ（Ｉｎｔｅｇｒａｔｅｄ  Ｃｉｒｃｕｉｔ）チップが有するメモリを記憶部１３０として用いる場合、当該ＩＣチップに接続されたアンテナによって出力部１１６が実現されてもよい。つまり、出力部１１６であるアンテナは、当該メモリに記憶された第一情報１３１を無線で送信することで、第一情報１３１を照明装置１１０ａの外部に出力することができる。
【０１４３】
また、第二情報２３１を取得する取得部１１４も、当該ＩＣチップに接続されたアンテナによって実現されてもよい。
【０１４４】
すなわち、図７に示すように、記憶部１３０、取得部１１４および出力部１１６が、１つのＩＣタグ１１７によって実現されてもよい。
【０１４５】
この場合、例えば図８に示すように、ＩＣタグ１１７に対して情報の読み出しおよび書き込みが可能なリーダライタ機能を有する携帯端末３００を、照明装置１１０ａに近づける。これにより、携帯端末３００は、照明装置１１０ａからの第一情報１３１の読み出し、および、照明装置１１０ａへの第二情報２３１の送信のそれぞれを行うことができる。
【０１４６】
このように、本変形例に係る照明装置１１０ａは、第一情報１３１を照明装置１１０の外部に出力する出力部１１６を有する。これにより、他の照明装置（例えば実施の形態１に係る照明装置１１０）の初期状態の明るさを、照明装置１１０ａの初期状態の明るさに近づけさせることができる。
【０１４７】
（実施の形態２）
次に、実施の形態２として、照明装置を複数備える照明システム５００について説明する。照明システム５００は、複数の照明装置のそれぞれとして、上記実施の形態１およびその変形例に係る照明装置（１１０、１１０ａ）のいずれかを採用し得る照明システムである。
【０１４８】
図９は、実施の形態２に係る照明システムの構成の概要を示す図である。
【０１４９】
照明システム５００は、第一照明装置１１１と第二照明装置１１２とを含む複数の照明装置を備える。なお、図９では、２つの照明装置（１１１、１１２）のみを記載しているが、照明システム５００は３以上の照明装置を備えてもよい。
【０１５０】
第一照明装置１１１は、発光部１２０と出力部１１６とを有する。例えば、上記実施の形態の変形例２に係る照明装置１１０ａが、第一照明装置１１１として採用される。
【０１５１】
また、第二照明装置１１２としては、例えば、上記実施の形態１に係る照明装置１１０が採用される。つまり、第二照明装置１１２は、図４および図５を用いて説明した、明るさの初期値の変更に係る処理を実行することができる。
【０１５２】
なお、第一照明装置１１１が備える発光部１２０と、第二照明装置１１２が備える発光部１２０とを区別するために、以下、前者を発光部１２０ａと表記し、後者を発光部１２０ｂと表記する。発光部１２０ａは第一発光部の一例であり、発光部１２０ｂは第二発光部の一例である。
【０１５３】
本実施の形態に係る照明システム５００では、第一照明装置１１１の出力部１１６から、発光部１２０ａの累積点灯時間を示す情報が出力される。
【０１５４】
第二照明装置１１２の取得部１１４は、第一照明装置１１１の出力部１１６から出力された情報である第二情報２３１を取得する。
【０１５５】
なお、本実施の形態では、第二照明装置１１２の取得部１１４は、第一照明装置１１１の発光部１２０ａの累積点灯時間を示す情報である第二情報２３１を、例えば無線通信によって第一照明装置１１１から取得する。
【０１５６】
例えば、リモコン等から送信される第一照明装置１１１に対する所定の指示により、第一照明装置１１１の出力部１１６から、発光部１２０ａの累積点灯時間を示す情報が、第二照明装置１１２に送信される。
【０１５７】
なお、第一照明装置１１１から第二照明装置１１２への情報の送信は、有線通信を介して行われてもよく、また、例えば、ユーザが操作する携帯端末等を介しておこなわれてもよい。
【０１５８】
無線通信または有線通信によって取得部１１４が取得した第二情報２３１は、発光部１２０ｂの制御に用いられる。
【０１５９】
具体的には、第二照明装置１１２では、図４および図５で示した明るさの初期値の変更に係る処理が実行される。
【０１６０】
すなわち、計測部１４０は、発光部１２０ｂの累積点灯時間の長さを計測する。計測部１４０に計測された累積点灯時間の長さを示す第一情報１３１が、記憶部１３０に記憶される。なお、記憶部１３０には、累積点灯時間の長さと発光部１２０ｂの明るさとの関係を示す時間対応情報１３５も記憶されている。
【０１６１】
制御部１１５は、記憶部１３０に記憶された第一情報１３１および時間対応情報１３５、並びに、取得部１１４により取得された第二情報２３１を用いて、発光部１２０ｂの明るさを第二情報２３１に対応する明るさに近づけるように発光部１２０ｂの制御を行う。
【０１６２】
本実施の形態に係る照明システム５００では、第一照明装置１１１および第二照明装置１１２が上述の各種の動作を行うことで、第一照明装置１１１の累積点灯時間が第二照明装置１１２に通知される。さらに、第二照明装置１１２の初期状態の明るさが、第一照明装置１１１の初期状態の明るさに近づけられる。
【０１６３】
なお、例えば、照明システム５００が備える複数の照明装置の全てが、上記実施の形態１の変形例２に係る照明装置１１０ａである場合、任意の照明装置１１０ａを基準とした、他の照明装置１１０ａの明るさの初期値の変更を容易に行うことができる。
【０１６４】
つまり、複数の照明装置１１０ａそれぞれから出力される累積点灯時間を確認し、最も長い累積点灯時間（最長累積時間）を持つ照明装置１１０ａを特定する。さらに、最長累積時間の長さを示す情報を、第二情報２３１として、他の１以上の照明装置１１０ａに入力する。
【０１６５】
これにより、照明システム５００における複数の照明装置１１０ａそれぞれの明るさを照度センサ等によって計測するような手間をかけることなく、複数の照明装置１１０ａの初期状態の明るさを揃えることができる。
【０１６６】
また、複数の照明装置１１０ａの中からの、最長累積時間を持つ照明装置１１０ａの特定は、例えば、複数の照明装置１１０ａのそれぞれと有線または無線で通信するコンピュータが行ってもよい。当該コンピュータはさらに、各照明装置１１０ａへの最長累積時間の送信および、最長累積時間に合わせた明るさの初期値の変更の指示を行ってもよい。これにより、ユーザは、当該コンピュータの操作によって、容易に複数の照明装置１１０ａの初期状態の明るさを一括して揃えることができる。
【０１６７】
また、当該コンピュータは、リモコン、操作パネル、および携帯端末等の、ユーザに操作され得る装置のいずれかに内蔵されていてもよい。
【０１６８】
（その他）
以上、本発明に係る照明装置、照明装置の制御方法、および照明システムについて、上記各実施の形態（実施の形態１の変形例を含む）に基づいて説明したが、本発明は、上記各実施の形態に限定されるものではない。
【０１６９】
例えば、上記各実施の形態に係る発光部１２０は、発光素子としてＬＥＤ素子を有している。しかし、発光部１２０が有する１以上の発光素子は、ＬＥＤ素子に限定されない。発光部１２０は、例えば、半導体レーザ等の半導体発光素子、有機ＥＬ（Ｅｌｅｃｔｒｏ  Ｌｕｍｉｎｅｓｃｅｎｃｅ）または無機ＥＬ等の発光素子を有してもよい。
【０１７０】
その他、上記実施の形態および変形例に対して当業者が思いつく各種変形を施して得られる形態、および、本発明の趣旨を逸脱しない範囲で上記実施の形態および変形例における構成要素および機能を任意に組み合わせることで実現される形態も本発明に含まれる。
【符号の説明】
【０１７１】
１１０、１１０ａ  照明装置
１１１  第一照明装置
１１２  第二照明装置
１１４  取得部
１１５  制御部
１１６  出力部
１２０、１２０ａ、１２０ｂ  発光部（第一発光部、第二発光部）
１３０  記憶部
１３１  第一情報
１３５、１３６  時間対応情報
１３６ａ  第一種別対応情報
１３６ｂ  第二種別対応情報
１４０  計測部
２３１  第二情報
５００  照明システム
【図１Ａ】
2015225804.tif 000003
【図１Ｂ】
2015225804.tif 000004
【図２】
2015225804.tif 000005
【図３】
2015225804.tif 000006
【図４】
2015225804.tif 000007
【図５】
2015225804.tif 000008
【図６】
2015225804.tif 000009
【図７】
2015225804.tif 000010
【図８】
2015225804.tif 000011
【図９】
2015225804.tif 000012